(57)【要約】【課題】プラズマディスプレイパネルの駆動において、初期化における微放電を低減して黒表示時輝度を低減させるとともに、初期化の発光によるフリッカの問題を解決することを目的とする。【解決手段】走査電極および維持電極からなる複数の表示電極と、この表示電極に放電空間を挟んで交差する方向に配置した複数のデータ電極とからなる放電セルを有するプラズマディスプレイパネルに対して、書込みパルスを印加する書込み期間および維持パルスを印加する維持期間を有する複数のサブフィールドにより１フィールドを構成して表示を行うプラズマディスプレイパネルの駆動方法であって、前記複数の表示電極をｎ分割し、ｎフィールドに１回の周期で走査電極に電圧が緩やかに上昇する傾斜部を有する初期化パルスを印加する初期化期間を設けて初期化動作を行う。【選択図】図１
2006091295.tif 000002
【特許請求の範囲】
【請求項１】
走査電極および維持電極からなる複数の表示電極と、この表示電極に放電空間を挟んで交差する方向に配置した複数のデータ電極とからなる放電セルを有するプラズマディスプレイパネルに対して、書込みパルスを印加する書込み期間および維持パルスを印加する維持期間を有する複数のサブフィールドにより１フィールドを構成して表示を行うプラズマディスプレイパネルの駆動方法であって、前記複数の表示電極をｎ分割し、ｎフィールドに１回の周期で走査電極に電圧が緩やかに上昇する傾斜部を有する初期化パルスを印加する初期化期間を設けて初期化動作を行うことを特徴とするプラズマディスプレイパネルの駆動方法。
【請求項２】
走査電極および維持電極からなる複数の表示電極とこの表示電極に放電空間を挟んで交差する方向に配置した複数のデータ電極とにより主放電を発生させる主放電セルを構成するとともに、この主放電セルに隣接させてプライミング放電を発生させるプライミング放電セルを構成したプラズマディスプレイパネルの駆動方法であって、書込みパルスを印加する書込み期間および維持パルスを印加する維持期間を有する複数のサブフィールドにより１フィールドを構成して表示を行うように構成し、かつ前記複数の表示電極をｎ分割し、ｎフィールドに１回の周期で走査電極に電圧が緩やかに上昇する傾斜部を有する初期化パルスを印加する初期化期間を設けて初期化動作を行うことを特徴とするプラズマディスプレイパネルの駆動方法。
【発明の詳細な説明】
【技術分野】
【０００１】
本発明は、プラズマディスプレイパネルの駆動方法に関するものである。
【背景技術】
【０００２】
一般にＡＣ型プラズマディスプレイパネルは、図５に示すように、走査電極Ｘ１，Ｘ２，・・・Ｘｎからなる走査電極群１と維持電極Ｙからなる維持電極群２とからなる複数の表示電極と、この表示電極に放電空間を挟んで交差する方向に配置したデータ電極Ａ１，Ａ２，・・・Ａｍからなるデータ電極群３とで複数の放電セル４を構成している（特許文献１参照）。なお、図５において、５は走査電極パルス発生装置、６は維持電極パルス発生装置、７はデータドライバーである。
【０００３】
また、図６に示すように走査電極群１および維持電極群２は前面ガラス８上に形成するとともに、誘電体層９およびＭｇＯ膜１０により覆われている。データ電極群３は背面ガラス１１上に形成するとともに、そのデータ電極側には放電空間を区画するための隔壁１２が形成され、その隔壁１２間には蛍光体１３が塗布されている。カラー表示を行う場合は、各放電セルにＲ、Ｇ、Ｂの蛍光体を設置している。
【０００４】
このように構成されたプラズマディスプレイパネルにおいて、図７に示すように、データ電極群３のＡ１，Ａ２，・・・Ａｍの各電極には、書込みパルスとしてデータパルスＶＡが表示情報に応じて印加され、走査電極群１のＸ１，Ｘ２，・・・Ｘｎの各走査電極には、順次、書込みパルスとして走査パルスＶＸが印加される。また維持電極群２は共通電極となっており、図７に示すような維持パルスが印加される。
【０００５】
このような印加電圧波形において、例えばデータ電極Ａ２と走査電極Ｘ１の交点に対応する放電セル４へ表示情報を書き込み、放電を維持する方法を説明する。図７に示すように、走査電極Ｘ１に走査パルスＶＸが印加されている間に、データ電極Ａ２にデータパルスＶＡを印加すると、データ電極Ａ２と走査電極Ｘ１の交点にある放電セル４内でパルス放電が起こり、電荷が蓄えられ、そのセルの放電開始電圧を引き下げる。その後、走査電極、維持電極にそれぞれ維持パルスが加えられ、放電、発光を繰り返す。
【０００６】
このようにして、一旦、書込まれた放電セル４は、維持パルスが終了されるまで、維持パルスが印加される毎に、放電発光する。なお、書込みパルスが印加されない場合、放電セル４の放電開始電圧は高い状態に保たれるので、維持パルスによる放電発光は起こらない。
【０００７】
このようにパルスメモリー方式に代表されるメモリー駆動方式では、維持パルスが終了するまでの期間、繰り返されるパルス発光を表示に利用できるため、高輝度が得られる。また、プラズマディスプレイパネルは維持パルスの回数を画像データに応じて制御することで所望の輝度が得られる。
【０００８】
この維持パルス数を制御するために、各放電セルの表示輝度を決めるフィールドと呼ばれる期間を持たせており、その１フィールド内にはいくつかのサブフィールド（ＳＦ）と呼ばれる期間で分けられている。各ＳＦの維持パルス数はそれぞれ重み付けされており、画像データに応じて点灯させるＳＦを選ぶことで任意のセルにおいて所望の輝度で放電させることができる。また各ＳＦは、そのＳＦの維持パルスを発光させるかを決める書き込み期間とセルを放電・発光させる維持期間、そして放電・発光させたセルの電荷をはじめの状態に戻す消去期間からなる。しかし、各セルの放電履歴の違いからセルの電荷が所望の値から離れ、十分な書き込みを行えないことが生じる。
【０００９】
そこで、従来からプラズマディスプレイパネルにおいては、１フィールド毎に走査電極と維持電極間に高圧をかけ、各セルの放電履歴の違いを無視できるぐらい電荷を貯めることで、各セルの電荷を均一に揃え初期化を行っている。
【特許文献１】特開平９−９７０３４号公報
【発明の開示】
【発明が解決しようとする課題】
【００１０】
しかし、初期化は点灯させないセルに対しても行わなければならず、初期化放電による黒表示時の輝度上昇が問題となっていた。そこで、従来からの技術として、初期化時に緩やかに電圧を加えていくことで、微放電を行い黒表示時の輝度上昇を抑えているが、微放電を行うためには走査電極と維持電極間の電圧を緩やかに高く上げていく必要があり、初期化のために多大な時間が必要となることが問題であった。
【００１１】
本発明はこのような課題に鑑みなされたもので、初期化における微放電を低減して黒表示時輝度を低減させるとともに、初期化の発光によるフリッカの問題を解決することを目的とする。
【課題を解決するための手段】
【００１２】
このような課題を解決するために本発明のプラズマディスプレイパネルの駆動方法は、走査電極および維持電極からなる複数の表示電極と、この表示電極に放電空間を挟んで交差する方向に配置した複数のデータ電極とからなる放電セルを有するプラズマディスプレイパネルに対して、書込みパルスを印加する書込み期間および維持パルスを印加する維持期間を有する複数のサブフィールドにより１フィールドを構成して表示を行うプラズマディスプレイパネルの駆動方法であって、前記複数の表示電極をｎ分割し、ｎフィールドに１回の周期で走査電極に電圧が緩やかに上昇する傾斜部を有する初期化パルスを印加する初期化期間を設けて初期化動作を行うことを特徴とする。
【００１３】
また、本発明においては、走査電極および維持電極からなる複数の表示電極とこの表示電極に放電空間を挟んで交差する方向に配置した複数のデータ電極とにより主放電を発生させる主放電セルを構成するとともに、この主放電セルに隣接させてプライミング放電を発生させるプライミング放電セルを構成したプラズマディスプレイパネルの駆動方法であって、書込みパルスを印加する書込み期間および維持パルスを印加する維持期間を有する複数のサブフィールドにより１フィールドを構成して表示を行うように構成し、かつ前記複数の表示電極をｎ分割し、ｎフィールドに１回の周期で走査電極に電圧が緩やかに上昇する傾斜部を有する初期化パルスを印加する初期化期間を設けて初期化動作を行うことを特徴とする。
【発明の効果】
【００１４】
本発明によれば、プラズマディスプレイパネルの初期化回数を複数フィールドに１回行うことで、初期化における微放電が低減され、黒表示時輝度を低減させることができ、また、初期化回数を減らす際に問題とされていた初期化の発光によるフリッカの問題も解決できる。
【発明を実施するための最良の形態】
【００１５】
以下、本発明の一実施の形態によるプラズマディスプレイパネルの駆動方法について、図１〜図４を用いて説明する。
【００１６】
図１に本発明の一実施の形態による駆動方法における電極配置を示し、図２に駆動波形を示している。図１、図２に示すように、走査電極および維持電極からなる複数の表示電極と、この表示電極に放電空間を挟んで交差する方向に配置した複数のデータ電極とからなる放電セルを有するプラズマディスプレイパネルに対して、書込みパルスを印加する書込み期間および維持パルスを印加する維持期間を有する複数のサブフィールドにより１フィールドを構成し、初期化期間以外の期間では基本的に従来と同じ駆動法を用いている。
【００１７】
走査電極Ｘａ１，Ｘｂ１・・・Ｘａｎ，Ｘｂｎからなる走査電極群２１および維持電極Ｙ１，Ｙ２，Ｙ３・・・Ｙｎからなる維持電極群２２による表示電極と、データ電極Ａ１、Ａ２，・・・Ａｍからなるデータ電極群２３により表示マトリックス電極群を形成し、各交点に複数の表示用放電セルを構成する。なお、図１において、２４は走査電極パルス発生装置、２５は維持電極パルス発生装置、２６はデータドライバーである。
【００１８】
そして、図２に示すように、奇数の走査電極Ｘａ（Ｘａ１，Ｘａ２・・・Ｘａｎ）には走査パルスＶＸａを印加し、偶数の走査電極Ｘｂ（Ｘｂ１，Ｘｂ２・・・Ｘｂｎ）には走査パルスＶＸｂを印加し、維持電極には全て共通で維持パルスＶＹを印加する。また、走査パルスＶＸａは、初期化期間において、電圧が緩やかに上昇する傾斜部を有する初期化パルス２７を設けて維持パルスＶＹと微放電を行い、２８に示すラインセルの初期化を行う。走査パルスＶＸｂは、初期化期間において、電圧が緩やかに上昇する傾斜部を有する初期化パルス２７を設けて維持パルスＶＹと微放電を行い、２９に示すラインセルの初期化を行う。図２に示す例では、初期化の回数は、２フィールドに１回となる。
【００１９】
すなわち、複数の表示電極の走査電極群２１をｎ（図示のものはｎ＝２）分割し、ｎ（図示のものはｎ＝２）フィールドに１回の周期で走査電極に電圧が緩やかに上昇する傾斜部を有する初期化パルスを印加する初期化期間を設けて初期化動作を行うものである。この結果、黒表示時の輝度を従来のものから半分に低減させることができる。
【００２０】
ところで、１フィールドの長さは人の目に自然な画像が見られる周期から決められているため、初期化回数を１フィールドに１回よりも少なくすると、初期化のときに生じる微放電の周期が大きくなり、そのフリッカが人の目にも感知できてしまう。本発明では、初めのフィールドでラインセル２８を初期化し、次のフィールドでは先ほど初期化を行っていないラインセル２９を初期化しているので、画面全体で見た場合、初期化によって起こる微放電の周期は1フィールドに1回のものと等しくなり、初期化の発光によるフリッカは人の目では感知できなく、これにより黒表示輝度を低減させるとともに、初期化の発光によるフリッカも防ぐことができる。
【００２１】
次に、本発明の他の実施の形態について、図３、図４を用いて説明する。図３に本発明の他の実施の形態による駆動方法における電極配置を示し、図４に駆動波形を示している。図３、図４に示すように、本実施の形態によるプラズマディスプレイパネルは、走査電極群２１および維持電極群２２からなる複数の表示電極とこの表示電極に放電空間を挟んで交差する方向に配置した複数のデータ電極群２３とにより主放電を発生させる主放電セルＳ１，Ｓ２，Ｓ３，Ｓ４，Ｓ５，Ｓ６・・・・を構成するとともに、この主放電セルＳ１，Ｓ２，Ｓ３，Ｓ４，Ｓ５，Ｓ６・・・・に隣接させてプライミング放電を発生させるプライミング放電セルＰ１，Ｐ２，Ｐ３・・・を構成している。そして、３フィールドに１回の割合で、初期化動作を行うように構成している。
【００２２】
図３に示されているように、データ電極Ａ１，Ａ２，・・・Ａｍの各電極にはデータパルスＶＡが表示情報に応じて印加され、維持電極には全て共通で維持パルスＶＹが印加される。そして、図４に示すように、走査電極Ｘａ（Ｘａ１，Ｘａ２・・・Ｘａｎ）には走査パルスＶＸａを印加し、走査電極Ｘｂ（Ｘｂ１，Ｘｂ２・・・Ｘｂｎ）には走査パルスＶＸｂを印加し、走査電極Ｘｃ（Ｘｃ１，Ｘｃ２・・・Ｘｃｎ）には走査パルスＶＸｃを印加する。
【００２３】
まず、３１の初期化期間では、電圧が緩やかに上昇する傾斜部を有する初期化パルスを設けて走査パルスＶＸａと維持パルスＶＹによる印加電圧によって微放電を行い、走査電極群Ｘａに隣接する主放電セルＳ１、Ｓ４などを初期化する。そして、次のフィールドの初期化期間３２では、走査パルスＶＸｂと維持パルスＶＹによる印加電圧によって微放電を行い、走査電極群Ｘｂに隣接する主放電セルＳ２、Ｓ５などを初期化する。最後に、３番目のフィールドの初期化期間３３では、走査パルスＶＸｃと維持パルスＶＹによる印加電圧によって微放電を行い、走査電極群Ｘｃに隣接する主放電セルＳ３、Ｓ６などを初期化する。なお、図４において、３４、３５、３６はそれぞれ書込み期間である。
【００２４】
また、図４に示すように、次のフィールドにおいて、初期化の電圧が印加される走査電極群には、初期化動作が行われる前のフィールドで、最後に書込み動作が行われるように配置している。これにより、プライミング放電セルＰ１，Ｐ２，Ｐ３・・・の誘電体に蓄えられる壁電荷が調整され、それぞれの主放電セルの初期化動作の際には、主放電セルの微放電を安定に行わせることができる。
【００２５】
このように、３ラインに１ラインずつ１フィールドごとに初期化するラインを設けることにより、画面全体で見た場合、初期化による微放電が現れる周期を従来のものと等しくでき、それによるフリッカを防ぐことができる。また、初期化の回数が、従来の技術では１フィールドに２回であったものが、１フィールドで１回となるので、初期化期間１回分の時間が節約できる。
【産業上の利用可能性】
【００２６】
以上説明したように本発明によれば、黒表示時のコントラストを向上させることができるとともに、初期化の発光によるフリッカの問題も解決でき、プラズマディスプレイパネルの画質向上を図る上で有用な発明である。
【図面の簡単な説明】
【００２７】
【図１】本発明の一実施の形態によるプラズマディスプレイパネルの駆動方法におけるパネルの電極接続状態を示す概略図
【図２】同駆動方法における駆動波形を示す波形図
【図３】本発明の他の実施の形態によるプラズマディスプレイパネルの駆動方法におけるパネルの電極接続状態を示す概略図
【図４】同駆動方法における駆動波形を示す波形図
【図５】従来のプラズマディスプレイパネルの駆動方法におけるパネルの電極接続状態を示す概略図
【図６】プラズマディスプレイパネルのパネル構造を示す概略断面図
【図７】同駆動方法における駆動波形を示す波形図
【符号の説明】
【００２８】
２１  走査電極群
２２  維持電極群
２３  データ電極群
２７  初期化パルス
【図１】
2006091295.tif 000003
【図２】
2006091295.tif 000004
【図３】
2006091295.tif 000005
【図４】
2006091295.tif 000006
【図５】
2006091295.tif 000007
【図６】
2006091295.tif 000008
【図７】
2006091295.tif 000009